(57)【要約】  周囲の無線基地局と異なる値になるように自装置のプリアンブルインデックスを自動的に決定する無線中継装置、無線通信方法およびプロセッサを提供する。  本発明に係る無線中継装置１０は、無線基地局４０と無線端末との間で送受信される無線信号を中継する無線中継装置１０であって、無線端末と無線信号を送受信する端末側通信部３２と、無線基地局４０と無線信号を送受信する基地局側通信部２２と、該無線中継装置１０のプリアンブルインデックスである第１プリアンブルインデックスを設定し、基地局側通信部２２が複数の無線基地局４０から受信する無線信号から、各無線基地局４０のプリアンブルインデックスである第２プリアンブルインデックスを取得する制御部２４、３４とを備え、制御部２４、３４は、第２プリアンブルインデックスと異なる値になるように第１プリアンブルインデックスを決定する。
2013094201.tif 000002
【特許請求の範囲】
【請求項１】
無線基地局と無線端末との間で送受信される無線信号を中継する無線中継装置であって、
前記無線端末と無線信号を送受信する端末側通信部と、
前記無線基地局と無線信号を送受信する基地局側通信部と、
該無線中継装置のプリアンブルインデックスである第１プリアンブルインデックスを設定し、前記基地局側通信部が複数の無線基地局から受信する無線信号から、前記各無線基地局のプリアンブルインデックスである第２プリアンブルインデックスを取得する制御部と
を備え、
前記制御部は、前記第２プリアンブルインデックスと異なる値になるように前記第１プリアンブルインデックスを決定する
ことを特徴とする無線中継装置。
【請求項２】
請求項１に記載の無線中継装置であって、前記制御部は、
所定の初期値を前記第１プリアンブルインデックスの候補値として設定し、
該候補値と前記第２プリアンブルインデックスとを比較し、
該比較の結果、該候補値と前記第２プリアンブルインデックスとが等しい場合は、該候補値を変更して、再度前記第２プリアンブルインデックスと比較し、
該比較の結果、該候補値と前記第２プリアンブルインデックスとが等しくない場合は、該候補値を前記第1プリアンブルインデックスに決定する
ことを特徴とする無線中継装置。
【請求項３】
請求項２に記載の無線中継装置であって、前記所定の初期値は、当該無線中継装置のＭＡＣアドレスの値から算出されることを特徴とする無線中継装置。
【請求項４】
請求項１に記載の無線中継装置であって、前記制御部は、
前回接続時の第１プリアンブルインデックスを前記第１プリアンブルインデックスの候補値として設定し、
該候補値と前記第２プリアンブルインデックスとを比較し、
該比較の結果、該候補値と前記第２プリアンブルインデックスとが等しい場合は、該候補値を変更して、再度前記第２プリアンブルインデックスと比較し、
該比較の結果、該候補値と前記第２プリアンブルインデックスとが等しくない場合は、該候補値を前記第1プリアンブルインデックスに決定する
ことを特徴とする無線中継装置。
【請求項５】
請求項１乃至４のいずれか一項に記載の無線中継装置であって、前記制御部は、所定のイベントを検出したときに、前記第１プリアンブルインデックスを決定することを特徴とする無線中継装置。
【請求項６】
請求項５に記載の無線中継装置であって、前記所定のイベントの検出は、該無線中継装置と前記無線基地局との間の初期接続または再接続の検出であることを特徴とする無線中継装置。
【請求項７】
請求項５に記載の無線中継装置であって、前記所定のイベントの検出は、該無線中継装置と前記無線基地局との間のアイドル状態から復帰またはハンドオーバの検出であることを特徴とする無線中継装置。
【請求項８】
無線基地局と無線端末との間で送受信される無線信号を中継する無線中継装置の無線通信方法であって、該無線中継装置が、
前記無線端末と無線信号を送受信する端末側通信部と、
前記無線基地局と無線信号を送受信する基地局側通信部と、
を備え、
前記基地局側通信部が複数の無線基地局から受信する無線信号から、前記各無線基地局のプリアンブルインデックスである第２プリアンブルインデックスを取得するステップと、
前記第２プリアンブルインデックスと異なる値になるように、前記無線中継装置のプリアンブルインデックスである第１プリアンブルインデックスを決定するステップと
を含むことを特徴とする無線通信方法。
【請求項９】
請求項８に記載の無線通信方法であって、さらに、
所定の初期値を前記第１プリアンブルインデックスの候補値として設定するステップと、
該候補値と前記第２プリアンブルインデックスとを比較するステップと、
該比較の結果、該候補値と前記第２プリアンブルインデックスとが等しい場合は、該候補値を変更して、再度前記第２プリアンブルインデックスと比較するステップと、
該比較の結果、該候補値と前記第２プリアンブルインデックスとが等しくない場合は、該候補値を前記第1プリアンブルインデックスに決定するステップと
を含むことを特徴とする無線通信方法。
【請求項１０】
請求項８に記載の無線通信方法であって、さらに、
前回接続時の第１プリアンブルインデックスを前記第１プリアンブルインデックスの候補値として設定するステップと、
該候補値と前記第２プリアンブルインデックスとを比較するステップと、
該比較の結果、該候補値と前記第２プリアンブルインデックスとが等しい場合は、該候補値を変更して、再度前記第２プリアンブルインデックスと比較するステップと、
該比較の結果、該候補値と前記第２プリアンブルインデックスとが等しくない場合は、該候補値を前記第1プリアンブルインデックスに決定するステップと
を含むことを特徴とする無線通信方法。
【請求項１１】
無線基地局と無線端末との間で送受信される無線信号を中継する無線中継装置のプロセッサであって、
該無線中継装置のプリアンブルインデックスである第１プリアンブルインデックスを設定し、
複数の無線基地局から受信する無線信号から、前記各無線基地局のプリアンブルインデックスである第２プリアンブルインデックスを取得し、
前記第２プリアンブルインデックスと異なる値になるように前記第１プリアンブルインデックスを決定する
ことを特徴とするプロセッサ。
【請求項１２】
請求項１１に記載のプロセッサであって、さらに、
所定の初期値を前記第１プリアンブルインデックスの候補値として設定し、
該候補値と前記第２プリアンブルインデックスとを比較し、
該比較の結果、該候補値と前記第２プリアンブルインデックスとが等しい場合は、該候補値を変更して、再度前記第２プリアンブルインデックスと比較し、
該比較の結果、該候補値と前記第２プリアンブルインデックスとが等しくない場合は、該候補値を前記第1プリアンブルインデックスに決定する
ことを特徴とするプロセッサ。
【請求項１３】
請求項１１に記載のプロセッサであって、さらに、
前回接続時の第１プリアンブルインデックスを前記第１プリアンブルインデックスの候補値として設定し、
該候補値と前記第２プリアンブルインデックスとを比較し、
該比較の結果、該候補値と前記第２プリアンブルインデックスとが等しい場合は、該候補値を変更して、再度前記第２プリアンブルインデックスと比較し、
該比較の結果、該候補値と前記第２プリアンブルインデックスとが等しくない場合は、該候補値を前記第1プリアンブルインデックスに決定する
ことを特徴とするプロセッサ。
【発明の詳細な説明】
【関連出願へのクロスリファレンス】
【０００１】
本出願は、日本国特許出願２０１１−２８１９１７号（２０１１年１２月２２日出願）の優先権を主張するものであり、当該出願の開示全体を、ここに参照のために取り込む。
【技術分野】
【０００２】
本発明は、無線中継装置、無線通信方法およびプロセッサに関するものである。
【背景技術】
【０００３】
無線端末が無線基地局と通信するためには、無線基地局からの無線信号が届く範囲（サービスエリア）に無線端末が位置する必要がある。しかし、山岳地帯や高層ビル等が建ち並ぶ市街地には障害物が多いため無線信号が届きにくい領域が存在する。このような無線信号が届かない領域をカバーするため、無線基地局と無線端末との間の無線信号を中継する無線中継装置（レピータ）が必要となる。【０００４】
無線中継装置は、ドナーノード（基地局側ユニット）とサービスノード（端末側ユニット）とを備える。ここで、ドナーノードは無線基地局とデータを送受信するユニットであり、サービスノードは無線端末とデータを送受信するユニットである。【０００５】
無線中継装置に接続する無線端末は、無線中継装置が送信するダウンリンク信号に含まれるプリアンブルを取得する。プリアンブルは、一般的に、フレームの先頭に付加される既知信号であり、無線端末はプリアンブルを取得してタイミング同期を確立する。【０００６】
プリアンブルは無線基地局や無線中継装置毎に異なるビットパターンから構成され、プリアンブルのそれぞれのビットパターンはプリアンブルインデックスと対応づけられている。例えば、ＷｉＭＡＸ（登録商標）においては、０〜１１４までのプリアンブルインデックスがある。【０００７】
無線端末が接続する無線中継装置のプリアンブルインデックスと、周辺の無線基地局のプリアンブルインデックスとが同じ値の場合、無線端末は、接続している無線中継装置ではなく、周辺の無線基地局からの無線信号を受信するおそれがある。【０００８】
従来の無線中継装置はプリアンブルインデックスの値が固定値であるため、周辺の無線基地局と同じプリアンブルインデックスになることを防ぐために、周辺の無線基地局のプリアンブルインデックスを調査してから、異なるプリアンプルインデックスの値を有する無線中継装置を設置していた。
【先行技術文献】
【特許文献】
【０００９】
【特許文献１】特開２０１１−９１７８４号公報
【発明の概要】
【発明が解決しようとする課題】
【００１０】
しかしながら、無線中継装置の設置時などに、周辺の無線基地局のプリアンブルインデックスを調査して、異なるプリアンブルインデックスの値を有する無線中継装置を設置することは多くの工数がかかる。【００１１】
また、無線中継装置は、設置後に位置を変更する場合もあるが、無線中継装置の位置を変更した結果、無線中継装置のプリアンブルインデックスと周辺の無線基地局のプリアンブルインデックスとが同じ値になってしまうことも起こりうる。【００１２】
無線中継装置を含む無線通信システムにおける干渉回避の技術としては、例えば特許文献１のように、無線中継装置が無線端末のハンドオーバを制御する発明が知られている。【００１３】
しかしながら、無線中継装置のプリアンブルインデックスと、周辺の無線基地局のプリアンブルインデックスとが同じ値になってしまった場合に、無線中継装置に接続する無線端末が周辺の無線基地局からのデータを誤って受信してしまうことは、特許文献１に記載の発明のように無線端末をハンドオーバさせることによっては有効に解決することができない。【００１４】
したがって、かかる点に鑑みてなされた本発明の目的は、周囲の無線基地局と異なる値になるように自装置のプリアンブルインデックスを自動的に決定する無線中継装置、無線通信方法およびプロセッサを提供することにある。
【課題を解決するための手段】
【００１５】
上記目的を達成する第１の観点に係る無線中継装置の発明は、
無線基地局と無線端末との間で送受信される無線信号を中継する無線中継装置であって、
前記無線端末と無線信号を送受信する端末側通信部と、
前記無線基地局と無線信号を送受信する基地局側通信部と、
該無線中継装置のプリアンブルインデックスである第１プリアンブルインデックスを設定し、前記基地局側通信部が複数の無線基地局から受信する無線信号から、前記各無線基地局のプリアンブルインデックスである第２プリアンブルインデックスを取得する制御部と
を備え、
前記制御部は、前記第２プリアンブルインデックスと異なる値になるように前記第１プリアンブルインデックスを決定する
ことを特徴とする。【００１６】
第２の観点に係る発明は、第１の観点に係る無線中継装置であって、前記制御部は、
所定の初期値を前記第１プリアンブルインデックスの候補値として設定し、
該候補値と前記第２プリアンブルインデックスとを比較し、
該比較の結果、該候補値と前記第２プリアンブルインデックスとが等しい場合は、該候補値を変更して、再度前記第２プリアンブルインデックスと比較し、
該比較の結果、該候補値と前記第２プリアンブルインデックスとが等しくない場合は、該候補値を前記第1プリアンブルインデックスに決定する
ことを特徴とする。【００１７】
第３の観点に係る発明は、第２の観点に係る無線中継装置であって、前記所定の初期値は、当該無線中継装置のＭＡＣアドレスの値から算出されることを特徴とする。【００１８】
第４の観点に係る発明は、第１の観点に係る無線中継装置であって、前記制御部は、
前回接続時の第１プリアンブルインデックスを前記第１プリアンブルインデックスの候補値として設定し、
該候補値と前記第２プリアンブルインデックスとを比較し、
該比較の結果、該候補値と前記第２プリアンブルインデックスとが等しい場合は、該候補値を変更して、再度前記第２プリアンブルインデックスと比較し、
該比較の結果、該候補値と前記第２プリアンブルインデックスとが等しくない場合は、該候補値を前記第1プリアンブルインデックスに決定する
ことを特徴とする。【００１９】
第５の観点に係る発明は、第１乃至第４の観点のいずれかの観点に係る無線中継装置であって、前記制御部は、所定のイベントを検出したときに、前記第１プリアンブルインデックスを決定することを特徴とする。【００２０】
第６の観点に係る発明は、第５の観点に係る無線中継装置であって、前記所定のイベントの検出は、該無線中継装置と前記無線基地局との間の初期接続または再接続の検出であることを特徴とする。【００２１】
第７の観点に係る発明は、第５の観点に係る無線中継装置であって、前記所定のイベントの検出は、該無線中継装置と前記無線基地局との間のアイドル状態から復帰またはハンドオーバの検出であることを特徴とする。【００２２】
上述したように本発明の解決手段を装置として説明してきたが、本発明はこれらに実質的に相当する方法、プログラム、プログラムを記録した記憶媒体としても実現し得るものであり、本発明の範囲にはこれらも包含されるものと理解されたい。【００２３】
例えば、本発明を方法として実現させた第８の観点に係る無線通信方法の発明は、
無線基地局と無線端末との間で送受信される無線信号を中継する無線中継装置の無線通信方法であって、該無線中継装置が、
前記無線端末と無線信号を送受信する端末側通信部と、
前記無線基地局と無線信号を送受信する基地局側通信部と、
を備え、
前記基地局側通信部が複数の無線基地局から受信する無線信号から、前記各無線基地局のプリアンブルインデックスである第２プリアンブルインデックスを取得するステップと、
前記第２プリアンブルインデックスと異なる値になるように、前記無線中継装置のプリアンブルインデックスである第１プリアンブルインデックスを決定するステップと
を含むことを特徴とする。【００２４】
第９の観点に係る発明は、第８の観点に係る無線通信方法であって、さらに、
所定の初期値を前記第１プリアンブルインデックスの候補値として設定するステップと、
該候補値と前記第２プリアンブルインデックスとを比較するステップと、
該比較の結果、該候補値と前記第２プリアンブルインデックスとが等しい場合は、該候補値を変更して、再度前記第２プリアンブルインデックスと比較するステップと、
該比較の結果、該候補値と前記第２プリアンブルインデックスとが等しくない場合は、該候補値を前記第1プリアンブルインデックスに決定するステップと
を含むことを特徴とする。【００２５】
第１０の観点に係る発明は、第８の観点に係る無線通信方法であって、さらに、
前回接続時の第１プリアンブルインデックスを前記第１プリアンブルインデックスの候補値として設定するステップと、
該候補値と前記第２プリアンブルインデックスとを比較するステップと、
該比較の結果、該候補値と前記第２プリアンブルインデックスとが等しい場合は、該候補値を変更して、再度前記第２プリアンブルインデックスと比較するステップと、
該比較の結果、該候補値と前記第２プリアンブルインデックスとが等しくない場合は、該候補値を前記第1プリアンブルインデックスに決定するステップと
を含むことを特徴とする。【００２６】
また、例えば、本発明をプロセッサとして実現させた第１１の観点に係るプロセッサの発明は、
無線基地局と無線端末との間で送受信される無線信号を中継する無線中継装置のプロセッサであって、
該無線中継装置のプリアンブルインデックスである第１プリアンブルインデックスを設定し、
複数の無線基地局から受信する無線信号から、前記各無線基地局のプリアンブルインデックスである第２プリアンブルインデックスを取得し、
前記第２プリアンブルインデックスと異なる値になるように前記第１プリアンブルインデックスを決定する
ことを特徴とする。【００２７】
第１２の観点に係る発明は、第１１の観点に係るプロセッサであって、さらに、
所定の初期値を前記第１プリアンブルインデックスの候補値として設定し、
該候補値と前記第２プリアンブルインデックスとを比較し、
該比較の結果、該候補値と前記第２プリアンブルインデックスとが等しい場合は、該候補値を変更して、再度前記第２プリアンブルインデックスと比較し、
該比較の結果、該候補値と前記第２プリアンブルインデックスとが等しくない場合は、該候補値を前記第1プリアンブルインデックスに決定する
ことを特徴とする。【００２８】
第１３の観点に係る発明は、第１１の観点に係るプロセッサであって、さらに、
前回接続時の第１プリアンブルインデックスを前記第１プリアンブルインデックスの候補値として設定し、
該候補値と前記第２プリアンブルインデックスとを比較し、
該比較の結果、該候補値と前記第２プリアンブルインデックスとが等しい場合は、該候補値を変更して、再度前記第２プリアンブルインデックスと比較し、
該比較の結果、該候補値と前記第２プリアンブルインデックスとが等しくない場合は、該候補値を前記第1プリアンブルインデックスに決定する
ことを特徴とする。
【発明の効果】
【００２９】
本発明によれば、周囲の無線基地局と異なる値になるように自装置のプリアンブルインデックスを自動的に決定する無線中継装置、無線通信方法およびプロセッサを提供することができる。
【図面の簡単な説明】
【００３０】
【図１】本発明の一実施形態に係る無線通信システムの概略図である。
【図２】本発明の一実施形態に係る無線中継装置の概略構成を示す機能ブロック図である。
【図３】本発明の一実施形態に係る無線中継装置においてプリアンブルインデックスを決定する処理を示すフローチャートである。
【図４】本発明の一実施形態に係る無線中継装置において、初期化時にプリアンブルインデックスを決定するシーケンスを示す図である。
【図５】本発明の一実施形態に係る無線中継装置において、再接続時にプリアンブルインデックスを決定するシーケンスを示す図である。
【図６】本発明の一実施形態に係る無線中継装置において、アイドル状態からの復帰時またはハンドオーバ時にプリアンブルインデックスを決定するシーケンスを示す図である。
【発明を実施するための形態】
【００３１】
以下、本発明の一実施形態について、図面を参照して説明する。
【００３２】
図１は、本発明の一実施形態に係る無線通信システムの概略図である。無線通信システムは、無線基地局４０と無線端末と無線中継装置１０とから構成される。無線中継装置１０は、無線基地局４０と無線端末との間で送受信されるデータを中継する。
【００３３】
図２は、本発明の一実施形態に係る無線中継装置の概略構成を示す機能ブロック図である。無線中継装置１０は、ドナーノード２０とサービスノード３０とを備える。
【００３４】
まず、ドナーノード２０の機能ブロックについて説明する。ドナーノード２０は、基地局側通信部２２と基地局側制御部２４とを備える。
【００３５】
基地局側通信部２２は、アンテナを介して無線基地局４０とデータを送受信する。ダウンリンクデータについては、基地局側通信部２２は、無線基地局４０から無線信号を受信し、ダウンコンバートしてベースバンド信号に変換してから端末側通信部３２に出力する。また、アップリンクデータについては、基地局側通信部２２は、端末側通信部３２からベースバンド信号として受け取り、アップコンバートして無線信号に変換してから無線基地局４０へ送信する。
【００３６】
また、基地局側通信部２２は、複数の周辺の無線基地局からの無線信号を受信する。なお、「周辺の無線基地局」との用語は、周辺の無線中継装置も含んだ意味で用いる。これは、無線中継装置のサービスノードも、無線基地局と同様の機能を有するからである。
【００３７】
基地局側制御部２４は、基地局側通信部２２をはじめとしてドナーノード２０の全体を制御する。基地局側制御部２４は、ＣＰＵ（中央処理装置）等の任意の好適なプロセッサ上で実行されるソフトウェアとして構成したり、処理ごとに特化した専用のプロセッサ（例えばＤＳＰ（デジタルシグナルプロセッサ））によって構成したりすることもできる。
【００３８】
基地局側制御部２４は、無線中継装置１０と無線基地局４０との間の初期接続、再接続、アイドル状態からの復帰、または、ハンドオーバなどのイベント（以下、「所定のイベント」と称する）を検出すると、ドナーノード２０と無線基地局４０との接続を確立する処理を実行する。
【００３９】
ここで、「初期接続時」とは電源オンまたはリセット時などをいい、「再接続」とは無線中継装置１０と無線基地局４０との接続が何らかの原因により切断した後に再接続することをいう。また、「アイドル状態」とはデータの送受信を停止してパワーセービングしている状態をいい、「ハンドオーバ」の用語は通常の意味で用いている。
【００４０】
基地局側制御部２４は、ドナーノード２０と無線基地局４０との接続を確立する際にドナーノード２０の周波数を決定する。基地局側制御部２４は、決定したドナーノード２０の周波数を端末側制御部３４に通知する。
【００４１】
基地局側制御部２４は、周辺の無線基地局から受信した無線信号からプリアンブルを取得し、当該プリアンブルに対応するプリアンブルインデックスを端末側制御部３４に供給する。
【００４２】
基地局側制御部２４は、プリアンブルのビットパターンとプリアンブルインデックスとを対応づけるテーブルを有しており、当該テーブルを参照して、周辺の無線基地局からの受信信号から取得したプリアンブルをプリアンブルインデックスに対応づける。
【００４３】
続いて、サービスノード３０の機能ブロックについて説明する。サービスノード３０は、端末側通信部３２と端末側制御部３４とを備える。
【００４４】
端末側通信部３２は、ダウンリンクデータについては、基地局側通信部２２からダウンリンクデータをベースバンド信号として受け取り、アップコンバートして無線信号に変換して無線端末に送信する。
【００４５】
端末側通信部３２は、アップリンクデータについては、無線端末からアップリンクデータを無線信号として受信し、ダウンコンバートしてベースバンド信号に変換して基地局側通信部２２に出力する。
【００４６】
端末側制御部３４は、端末側通信部３２をはじめとしてサービスノード３０の全体を制御する。端末側制御部３４は、ＣＰＵ等の任意の好適なプロセッサ上で実行されるソフトウェアとして構成したり、処理ごとに特化した専用のプロセッサ（例えばＤＳＰ）によって構成したりすることもできる。なお、本実施形態においては、ドナーノード２０が基地局側制御部２４を備え、サービスノード３０が端末側制御部３４を備えるというように、ドナーノード２０およびサービスノード３０の各々が制御部を備える構成として説明したが、本発明は、この構成に限定されるわけではない。例えば、ドナーノード２０とサービスノード３０とを１つの制御部で制御する構成とすることもできる。
【００４７】
端末側制御部３４は、所定のイベントを検出すると、基地局側制御部２４が決定したドナーノード２０の周波数を受け取り、当該ドナーノード２０の周波数に基づいてサービスノード３０の使用周波数を決定する。
【００４８】
端末側制御部３４は、例えば、サービスノード３０の使用周波数を決定した後に、無線中継装置１０のプリアンブルインデックスを決定する処理を実行する。
【００４９】
端末側制御部３４は、周辺の無線基地局のプリアンブルインデックスを基地局側制御部２４から取得する。端末側制御部３４は、周辺の無線基地局のプリアンブルインデックスと異なるプリアンブルインデックスになるように、無線中継装置１０のプリアンブルインデックスを決定する。
【００５０】
図３のフローチャートを参照しながら、無線中継装置１０が当該無線中継装置１０のプリアンブルインデックスを決定する処理を説明する。なお、図３のフローチャートに示す処理は、例えば、端末側制御部３４がサービスノード３０の使用周波数を決定した後に実行する。
【００５１】
基地局側制御部２４および端末側制御部３４は、所定のイベントを定期的に監視し、所定のイベントを開始した場合、当該所定のイベントが初期接続であるか否かを判定する（ステップＳ１０１）。
【００５２】
ステップＳ１０１において、所定のイベントが初期接続であった場合、端末側制御部３４は、所定の初期値をプリアンブルインデックスの候補値に設定する（ステップＳ１０２）。端末側制御部３４は、例えば、無線中継装置１０のＭＡＣアドレスの値を１１４で割った値の余りを所定の初期値とすることができる。ＷｉＭＡＸ（登録商標）の場合、プリアンブルインデックスは０〜１１４までの値であるため、このようにして所定の初期値を算出することにより、０〜１１４までの適当な値をランダムに選択することができる。
【００５３】
ステップＳ１０１において、所定のイベントが初期接続ではなかった場合、端末側制御部３４は、無線端末が前回無線中継装置１０に接続していた時におけるプリアンブルインデックスの値をプリアンブルインデックスの候補値に設定する（ステップＳ１０３）。
【００５４】
無線中継装置１０は周辺の無線基地局をサーチし、基地局側制御部２４は、周辺の無線基地局から受信した無線信号のプリアンプルを取得し、プリアンブルインデックスに対応づける（ステップＳ１０４）。
【００５５】
端末側制御部３４は、周辺の無線基地局のプリアンブルインデックスを基地局側制御部２４から受け取り、プリアンブルインデックスの候補値と比較する（ステップＳ１０５）。
【００５６】
ステップＳ１０５において、プリアンブルインデックスの候補値と、周辺の無線基地局のプリアンブルインデックスの値とが等しくなかった場合は、端末側制御部３４は、当該プリアンブルインデックスの候補値を、無線中継装置１０のプリアンブルインデックスに決定する（ステップＳ１０６）。
【００５７】
ステップＳ１０５において、プリアンブルインデックスの候補値と、周辺の無線基地局のプリアンブルインデックスの値とが等しい値であった場合は、端末側制御部３４は、当該プリアンブルインデックスの候補値を１つ増やし（ステップＳ１０７）、ステップＳ１０５に戻って、再度、周辺の無線基地局のプリアンブルインデックスの値との比較を行う。なお、ステップＳ１０７において、プリアンブルインデックスの候補値を１つ増やす場合を例に挙げて説明したが、プリアンブルインデックスの候補値を変える方法はこれに限るものではない。例えば、増分を２や３など、１より大きい値にしてもよいし、増やすのではなく減らしてもよい。
【００５８】
図４に、初期接続時に無線中継装置１０がプリアンブルインデックスを決定するシーケンスを示す。
【００５９】
電源オンまたはリセットなどにより、サービスノード３０およびドナーノード２０が初期化されると（ステップＳ２０１）、ドナーノード２０の基地局側制御部２４は、無線基地局４０との接続処理を開始し（ステップＳ２０２）、ドナーノード２０の周波数を決定する（ステップＳ２０３）。
【００６０】
サービスノード３０の端末側制御部３４は、基地局側制御部２４からドナーノード２０の周波数の通知を受け（ステップＳ２０４）、サービスノード３０の周波数を決定する（ステップＳ２０５）。
【００６１】
無線中継装置１０は、サービスノード３０の周波数が決定すると、図３に示したプリアンブルインデックスを決定する処理を実行する（ステップＳ２０６）。
【００６２】
図５に、再接続時に無線中継装置１０がプリアンブルインデックスを決定するシーケンスを示す。
【００６３】
ドナーノード２０と無線基地局４０との間の接続が何らかの原因により切断すると（ステップＳ３０１）、ドナーノード２０の基地局側制御部２４は、無線基地局４０との接続処理を開始し（ステップＳ３０２）、ドナーノード２０の周波数を決定する（ステップＳ３０３）。以後のシーケンス（ステップＳ３０４〜Ｓ３０６）は図４のステップＳ２０４〜Ｓ２０６と同様であるので説明を省略する。
【００６４】
図６に、アイドル状態からの復帰時またはハンドオーバ時に無線中継装置１０がプリアンブルインデックスを決定するシーケンスを示す。
【００６５】
ドナーノード２０と無線基地局４０との間で、アイドル状態からの復帰またはハンドオーバのイベントが発生すると（ステップＳ４０１）、ドナーノード２０の基地局側制御部２４は、無線基地局４０との接続処理を開始し（ステップＳ４０２）、ドナーノード２０の周波数を決定する（ステップＳ４０３）。以後のシーケンス（ステップＳ４０４〜Ｓ４０６）は図４のステップＳ２０４〜Ｓ２０６と同様であるので説明を省略する。
【００６６】
このように、本実施形態によれば、周囲の無線基地局と異なる値になるように自装置のプリアンブルインデックスを自動的に決定する無線中継装置、無線通信方法およびプロセッサを提供することができる。これにより、無線中継装置の設置時に周辺の無線基地局のプリアンブルインデックスを調査する必要がなくなり、セル設計が容易になる。また、無線中継装置の設置時における工数を低減することができる。
【００６７】
本発明を諸図面や実施例に基づき説明してきたが、当業者であれば本開示に基づき種々の変形や修正を行うことが容易であることに注意されたい。従って、これらの変形や修正は本発明の範囲に含まれることに留意されたい。例えば、各部材、各手段、各ステップなどに含まれる機能などは論理的に矛盾しないように再配置可能であり、複数の手段やステップなどを１つに組み合わせたり、或いは分割したりすることが可能である。
【符号の説明】
【００６８】
１０  無線中継装置
２０  ドナーノード
２２  基地局側通信部
２４  基地局側制御部
３０  サービスノード
３２  端末側通信部
３４  端末側制御部
【図１】
2013094201.tif 000003
【図２】
2013094201.tif 000004
【図３】
2013094201.tif 000005
【図４】
2013094201.tif 000006
【図５】
2013094201.tif 000007
【図６】
2013094201.tif 000008
【国際調査報告】
2013094201.tif 000009
2013094201.tif 000010
2013094201.tif 000011
2013094201.tif 000012